(57)【要約】【課題】簡単な操作で乗物本体の形状を変更可能であり、立ち上がって操作する時は本体の上面を平滑にし、座って操作する時は座席用凹部を設けることができる乗物の提供。【解決手段】乗物本体１と、本体１に着脱自在に立設されるマストとを備え、本体１の上面に座席用凹部４を形成すると共に、座席用凹部４に着脱可能に嵌合される中子１５を設け、中子１５を座席用凹部４に嵌合したとき、中子１５の上面と本体１の上面とが面一になる。【選択図】図５
2009132342.tif 000002
【特許請求の範囲】
【請求項１】
乗物本体と、該本体に着脱自在に立設されるマストとを備え、前記本体の上面に座席用凹部を形成すると共に、該座席用凹部の内部に着脱可能に嵌合される中子を設け、前記中子を座席用凹部に嵌合したとき、前記中子の上面と前記本体の上面とが面一になることを特徴とした乗物。
【請求項２】
前記本体が陸上走行用のものである請求項１に記載の乗物。
【請求項３】
前記本体が氷上走行用のものである請求項１に記載の乗物。
【請求項４】
前記本体がウィンドサーフィン用ボード兼ヨットの船体である請求項１に記載の乗物。
【請求項５】
前記中子の上面に足掛けストラップを設けてある請求項１乃至４のいずれかに記載の乗物。
【請求項６】
前記本体の上面に、前記マストを前記本体の長さ方向へ位置調節可能に取り付けるマスト取付部と、前記マストを角度調節可能に挿入するためのマスト挿入穴とをそれぞれ形成してある請求項１〜５のいずれかに記載の乗物。
【請求項７】
前記中子が水面に浮遊可能な素材より成る請求項４に記載の乗物。
【発明の詳細な説明】
【技術分野】
【０００１】
本発明は、陸上走行用、氷上走行用、ウィンドサーフィン用ボード兼ヨット等の乗物に関する。
【背景技術】
【０００２】
交通手段として、或いは、娯楽のために、風を帆で受けて陸上、氷上、雪上、水面等を走行する乗物が知られている。このような乗物には、例えば、ヨットのように座って操作するものと、ウィンドサーフィンのように立ち上がって操作するものとがあり、その乗物本体の形状は操作方法に応じて異なっているため、通常は兼用できない。  
従来、ウィンドサーフィンにマストを固定する装置、腰掛ける装置、操舵装置等を取り付けてヨットとして乗る装置が提案されている（特許文献１参照）。  
しかし、この装置は、ヨットとして用いる際に装着する腰掛け装置が、支柱から張り出したアームに台をスライド可能に設けて成るので、構造が複雑であるばかりか、腰掛けたときに非常に不安定で海中に落下する危険性もある。
【０００３】
また、座席用凹部を備えたセイルボード本体にラダー取付具を設け、セイルボード本体の中央域部、前域部及び後域部にマスト挿入孔を設け、所望のマスト挿入孔にウィンドサーフィン用マスト又はヨット用マストを挿着自在としたセイルボードが公知である（特許文献２参照）。  
しかし、セイルボード本体には座席用凹部が形成されているので、ウィンドサーフィン用ボードとして用いる際に、セイルボード本体の上面に安定して立つのが難しかった。
【０００４】
【特許文献１】実開昭５９−１６２９８号公報
【特許文献２】実開昭６２−１５０２９９号公報
【発明の開示】
【発明が解決しようとする課題】
【０００５】
本発明が解決しようとする課題は、簡単な操作で乗物本体の形状を変更可能であり、立ち上がって操作する時は本体の上面を平滑にし、座って操作する時は座席用凹部を設けることができる乗物を提供することにある。
【課題を解決するための手段】
【０００６】
本発明の乗物は、乗物本体と、該本体に着脱自在に立設されるマストとを備え、前記本体の上面に座席用凹部を形成すると共に、該座席用凹部の内部に着脱可能に嵌合される中子を設け、前記中子を座席用凹部に嵌合したとき、前記中子の上面と前記本体の上面とが面一になる。  
前記本体は、陸上走行用とすることも、氷上走行用とすることも、ウィンドサーフィン用ボード兼ヨットの船体とすることもできる。  
前記中子の上面に足掛けストラップを設けても良い。  
前記本体の上面に、前記マストを前記本体の長さ方向へ位置調節可能に取り付けるマスト取付部と、前記マストを角度調節可能に挿入するためのマスト挿入穴とをそれぞれ形成しても良い。  
前記本体がウィンドサーフィン用ボード兼ヨットの船体である場合は、前記中子を水面に浮遊可能な素材により形成すると良い。
【発明の効果】
【０００７】
請求項１〜４に係る発明によれば、本体に中子を着脱するだけで、乗物本体に座席用凹部を形成したり、乗物本体の上面を平滑にすることが可能なため、座って操作することも、立ち上がって操作することも無理なくできる。  
請求項５に係る発明によれば、立ち上がって操作する際に、足掛けストラップに足を差し込んで安定して立つことができる。  
請求項６に係る発明によれば、マストの位置を簡単に変えることが可能で、ウィンドサーフィンを行う時はマストの位置を前後に移動すると共に、ヨットとして使用する際にはマストの角度を変えて、性能を上げることができる。  
請求項７に係る発明によれば、本体から取外した中子を水に浮かべてビート板、浮き引きブイ等の遊具として利用できる。
【発明を実施するための最良の形態】
【０００８】
以下、本発明の実施例を図面に基づいて詳細に説明する。  
本発明の乗物は、図１及び図２に示すように、ウィンドサーフィン用ボード兼ヨットの船体である本体１と、本体１に着脱自在に立設されるマスト２とを備える。  
本体１は、全長２６００ｍｍ、幅１０５０ｍｍ、容積２１５Ｌ、重量１３ｋｇ程度の、ウィンドサーフィン用ボードとしてもヨットとしても使用できる寸法を有する。  
本体１の船底中央部にはダガー２５が、船尾寄りにフィン２６がそれぞれ設けられ、船尾には舵棒７で操作可能なラダー８が装着されている。また、図３及び図４に示すように、本体１の上面中央部には座席用凹部４が形成され、本体１の船首部にはモヤイ孔５及びバンパー６が設けられる。
【０００９】
本体１の上面前部にはマスト２を抜挿可能に挿入するためのマスト挿入穴９が形成される。  
マスト挿入穴９の深さは５０ｃｍ程度であり、マスト挿入穴９の直径はマスト２よりもやや径大となっている。従って、図６に示すように、マスト挿入穴９へマスト２を挿入してそのいずれかの側面に沿ってクサビ１０を差し込むことにより、マスト２の角度を変えることができる。  
なお、クサビ１０を差し込んでいない状態でも帆走可能である。
【００１０】
図３に示すように、マスト挿入穴９のやや後方には、マスト２を抜挿可能に挿入するためのマスト取付部１１が設けられる。  
マスト取付部１１は、本体１の前後方向に沿って埋設された型材より成り、上面が開口したリップ付き溝形断面を有する。また、マスト取付部１１の両端面は開口しており、本体１には、マスト取付部１１の一端に連続して、その上面開口幅よりも径大な挿入ガイド穴１１’が形成されている。
【００１１】
図７に示すように、マスト２の下端には中心軸に沿って棒状のエクステンション３０が着脱可能に挿入されている。そして、マスト２に対して、エクステンション３０の挿入長さを変えて固定することにより、マスト長を調整できるようになっている。  
エクステンション３０の下面には、スティック３２と回転操作盤１３とから成るベース３１が装着される。回転操作盤１３はスティック３２の下端に回動自在に設けられ、スティック３２の上端部をエクステンション３０の下面に挿入して止めることにより、エクステンション３０にベース３１が取り付けられる。  
また、回転操作盤１３の下面中心からネジ棒１２が中心軸に沿って突出しており、ネジ棒１２に角ナット１４が螺合されている。回転操作盤１３の直径及び角ナット１４の幅は、マスト取付部１１の上面の開口幅よりも大きく、角ナット１４の幅はマスト取付部１１及び挿入ガイド穴１１’の内矩幅よりもやや小さく形成されている。
【００１２】
そして、ネジ棒１２の下端部を挿入ガイド穴１１’に差し込み、角ナット１４をマスト取付部１１の端面から内部に挿入すると共に、ネジ棒１２をマスト取付部１１の上面開口部に通して、マスト２の下端部をマスト取付部１１に挿入することができる。  
さらに、回転操作盤１３を回転させると、回転が規制された角ナット１４がせりあがって回転操作盤１３に接近し、マスト取付部１１の上面開口部の両側を角ナット１４と回転操作盤１３とで挟み付けて、マスト２がマスト取付部１１に固定される。  
また、回転操作盤１３を逆回転させると角ナット１４が下降し、マスト２をマスト取付部１１に沿って（本体１の前後方向に沿って）摺動させたり、マスト取付部１１から抜き取ることができる。  
なお、上記したエクステンション３０及びベース３１は、従来公知の部材である。
【００１３】
座席用凹部４は、操縦者が内部に座ることができる広さを有し、図５に示すように、その内部に着脱可能に嵌合される中子１５を設ける。  
中子１５は、硬質発泡ウレタン等の水面に浮遊可能な素材より成り、中子１５の上面の左右両側及び後部中央にそれぞれ足掛けストラップ１６を設けてある。  
また、中子１５の周囲部には、中子１５を本体１に固定するためのストッパ１７が複数設けられている。
【００１４】
ストッパ１７は、図８に示すように、中子１５を貫通するボルト１８と、座席用凹部４の底に固定されてボルト１８と螺合可能なナット部１９とから成る。ボルト１８の上端には、上面に係止凹部２０が形成された円板２１を取り付けてあり、この円板２１が中子１５の上面と面一になるよう回動自在に埋め込まれている。  
また、座席用凹部４の底面中央部には前後方向に長いダガーボックス２２が設けられ、中子１５の中央部にはダガーボックス２２と係合する長孔２３が前後方向に沿って形成される。
【００１５】
従って、ダガーボックス２２と長孔２３とを係合して中子１５を座席用凹部４に嵌合し、係止凹部２０に工具を係止して円板２１を回転させ、ボルト１８をナット部１９へねじ込むと、中子１５が座席用凹部４を完全に塞いだ状態で本体１に固定される。この時、中子１５の上面と本体１のデッキ面とは面一になる。  
一方、円板２１を逆回転させてボルト１８をナット部１９から抜き取ることにより、中子１５を座席用凹部４から取外すことができる。
【００１６】
この乗物をヨットとして用いるときは、図１に示すように、マスト２からベース３１を外しておき、マスト挿入穴９にマスト２の下端部（エクステンション３０の下端部）を差し込む。また、中子１５を外して座席用凹部４を露出させる。  
この状態で、操縦者は、座席用凹部４内に座って、ラダー８及びセールを操縦する。
本体１から取外した中子１５は水に浮かべ、浮き具、ヨットで曳航される浮き引きブイ等の遊具として使用できる。  
なお、ヨットとして使用する際には、フィン２６は使用しない。
【００１７】
一方、ウィンドサーフィン用ボードとして使用する際には、図２に示すように、マスト２の下端にベース３１を取り付けてから、マスト取付部１１にマスト２の下端部を挿入する。  
また、座席用凹部４に中子１５をはめ込んで、ストッパ１７により固定する。すると、座席用凹部４が中子１５で閉鎖され、中子１５の上面と本体１のデッキ面とが面一となるので、操縦者は、足掛けストラップ１６に足を差し込んで本体１の上面に立ち、操縦することができる。ウィンドサーフィンを行う時は、舵棒７及びラダー８は使用しない。
【００１８】
なお、本発明の乗物は、陸上、雪上、氷上等を走行する乗物とすることができ、これに伴い、乗物本体１の構造も、車輪を設置するなどして、陸上走行用、雪上走行用、氷上走行用に適したものとする。  
また、中子１５の前後端部は、それぞれ粘着テープ２４を補助的に用いて本体１へ固定しても良い。  
さらに、中子１５の上面の幅方向中央部に、操縦者の立ち位置の目安となるラインを前後方向に沿って表示すると、初心者でも操縦時のバランスを取りやすい。
【図面の簡単な説明】
【００１９】
【図１】本発明の実施例を示す乗物のヨット状態における側面図。
【図２】本発明の実施例を示す乗物のウィンドサーフィン用ボード状態における側面図。
【図３】本発明の実施例に係る乗物本体の要部平面図。
【図４】本発明の実施例に係る乗物本体の要部断面図。
【図５】本発明の実施例に係る乗物本体の要部斜視図。
【図６】マスト挿入穴及びマストの要部断面図。
【図７】マスト取付部及びマストの要部斜視図。
【図８】ストッパの斜視図。
【符号の説明】
【００２０】
１  本体
２  マスト
４  座席用凹部
５  モヤイ孔
６  バンパー
７  舵棒
８  ラダー
９  マスト挿入穴
１０  クサビ
１１  マスト取付部
１１’  挿入ガイド穴
１２  ネジ棒
１３  回転操作盤
１４  角ナット
１５  中子
１６  足掛けストラップ
１７  ストッパ
１８  ボルト
１９  ナット部
２０  係止凹部
２１  円板
２２  ダガーボックス
２３  長孔
２４  粘着テープ
２５  ダガー
２６  フィン
３０  エクステンション
３１  ベース
３２  スティック
【図１】
2009132342.tif 000003
【図２】
2009132342.tif 000004
【図３】
2009132342.tif 000005
【図４】
2009132342.tif 000006
【図５】
2009132342.tif 000007
【図６】
2009132342.tif 000008
【図７】
2009132342.tif 000009
【図８】
2009132342.tif 000010